(57)【要約】【課題】ユーザーがマウスを使用せずにショートカットキーの操作だけでブラウザ上で所定動作を素早く、かつ、簡単に実行させるブラウザアプリケーションソフトウェアを提供する。【解決手段】ブラウザアプリケーションソフトウェアは、コンピュータに入力信号を送るキーボードを介して入力されたキー操作が所定動作を実行するための所定コマンドか否かを判定するコマンド判定ステップ（Ｓ１）と、所定コマンドが入力されたと判定したとき、所定コマンドに基づいて所定動作を実行する実行ステップ（Ｓ２）とを具備する。【選択図】図１
2019020884.tif 000002
【特許請求の範囲】
【請求項１】
コンピュータにおいて実行するブラウザアプリケーションソフトウェアにおいて、
前記コンピュータに入力信号を送るキーボードを介して入力されたキー操作が所定動作を実行するための所定コマンドか否かを判定するコマンド判定ステップと、
前記所定コマンドが入力されたと判定したとき、所定コマンドに基づいて所定動作を実行する実行ステップとをコンピュータに実行させることを特徴とするブラウザアプリケーションソフトウェア。
【請求項２】
前記所定コマンドが入力される前にコンピュータの表示部に表示されたメールブラウザにおいてテキストがユーザーによって選択され、
前記所定コマンドが、前記選択されたテキストについてのソースコードにおいて所定の色の情報を付加する、または所定の色の情報に変更するコマンドであることを特徴とする請求項１に記載のブラウザアプリケーションソフトウェア。
【請求項３】
前記所定コマンドが、前記コンピュータの表示部に表示されたブラウザにおいて現在表示している通信ネットワーク上のリソース特定情報であるユニフォーム・リソース・ロケータ情報をコピーするコマンドであることを特徴とする請求項１に記載のブラウザアプリケーションソフトウェア。
【請求項４】
前記所定コマンドが、前記コンピュータの表示部に表示されたブラウザにおいて現在表示している通信ネットワーク上のリソース特定情報である第１ユニフォーム・リソース・ロケータに転送する第１ユニフォーム・リソース・ロケータよりも短い第２ユニフォーム・リソース・ロケータを作成するコマンドであることを特徴とする請求項１に記載のブラウザアプリケーションソフトウェア。
【請求項５】
前記所定コマンドが入力される前にコンピュータの表示部に表示されたブラウザにおいてテキストがユーザーによって選択され、
前記所定コマンドが、前記ブラウザの新たなタブまたは新たなウィンドウによって予め設定された所定ページを開くとともに選択されたテキストを入力するコマンドであることを特徴とする請求項１に記載のブラウザアプリケーションソフトウェア。
【請求項６】
前記所定コマンドが入力される前にコンピュータの表示部に表示されたブラウザの複数のタブによって通信ネットワーク上のリソース特定情報であるユニフォーム・リソース・ロケータのリソース内容が表示され、
前記所定コマンドが、前記複数のタブのグループの名前を入力自在なタブグループ保存ウィンドウを開いて、複数のタブにおいて現在開いているそれぞれのユニフォーム・リソース・ロケータ情報を１組として保存自在にする、または、前記タブの名前を入力自在なブックマーク保存ウィンドウを開いて、選択された１つのタブにおいて現在表示しているユニフォーム・リソース・ロケータ情報を保存自在にするコマンドであることを特徴とする請求項１に記載のブラウザアプリケーションソフトウェア。
【請求項７】
前記所定コマンドが入力される前にコンピュータの表示部に表示された電子メールブラウザの電子メールにおけるテキストデータおよび画像データの少なくとも一方が選択され、
前記所定コマンドが、前記電子メールのひな形の名前を入力自在なひな形保存ウィンドウを開いて、前記テキストデータおよび画像データの少なくとも一方の選択された箇所を電子メールのひな形として保存自在にするコマンドであることを特徴とする請求項１に記載のブラウザアプリケーションソフトウェア。
【請求項８】
前記所定コマンドが入力される前にコンピュータの表示部に表示された電子メールブラウザにおいて１つの電子メールが選択されて表示され、
前記所定コマンドが、新しいブラウザのタブまたは新たなウィンドウで予め設定されたスケジュール管理ページを開くとともに選択されたメール情報をスケジュール管理ページに登録自在にするコマンドであることを特徴とする請求項１に記載のブラウザアプリケーションソフトウェア。
【請求項９】
前記所定コマンドが入力される前にコンピュータの表示部に表示されたブラウザにおいてカーソルが入力欄にあり、
前記所定コマンドが、予め設定された電子スタンプ情報を取得して電子スタンプリストを新たなウィンドウで開くとともに電子スタンプを選択自在にするコマンドであることを特徴とする請求項１に記載のブラウザアプリケーションソフトウェア。
【請求項１０】
前記所定コマンドが、前記コンピュータの日付時計制御部へアクセスして現在の日付時間情報を取得するとともにコンピュータの表示部に表示されたブラウザに表示するコマンドであることを特徴とする請求項１に記載のブラウザアプリケーションソフトウェア。
【請求項１１】
前記所定コマンドが、前記コンピュータの日付時計制御部へアクセスして日付情報および時間情報の少なくとも一方をコピーするコマンドであることを特徴とする請求項１に記載のブラウザアプリケーションソフトウェア。
【発明の詳細な説明】
【技術分野】
【０００１】
本発明は、コンピュータにおいて実行するブラウザアプリケーションソフトウェアに関する。
【背景技術】
【０００２】
従来、インターネットブラウザにおいてブックマークを行い、各ブックマークしたリソース表現のユーザー選択によって後に検索するために対象リソースをブックマークする方法が知られている（例えば、特許文献１）。
【先行技術文献】
【特許文献】
【０００３】
【特許文献１】特表２００９−５３７９１７号公報（特に段落００４６参照）
【発明の概要】
【発明が解決しようとする課題】
【０００４】
しかしながら、上述した従来のインターネットブラウザでは、ユーザーがよく使用する機能を実行する際にショートカットキーが設定されていない構成であったため、ユーザーがよく使用する機能を実行したい場合、マウスを使用して実行したい項目を選択してクリックする必要があり、操作が煩わしい上に時間がかかるという問題や、マウスを操作しているときはキーボードの操作が停まるため作業効率が十分でないという問題あった。
【０００５】
そこで、本発明は、前述したような従来技術の問題を解決するものであって、すなわち、本発明の目的は、ユーザーがマウスを使用せずにショートカットキーの操作だけでブラウザ上で所定動作を素早く、かつ、簡単に実行させるブラウザアプリケーションソフトウェアを提供することである。
【課題を解決するための手段】
【０００６】
本請求項１に係る発明は、コンピュータにおいて実行するブラウザアプリケーションソフトウェアにおいて、前記コンピュータに入力信号を送るキーボードを介して入力されたキー操作が所定動作を実行するための所定コマンドか否かを判定するコマンド判定ステップと、前記所定コマンドが入力されたと判定したとき、所定コマンドに基づいて所定動作を実行する実行ステップとをコンピュータに実行させることにより、前述した課題を解決するものである。
【０００７】
本請求項２に係る発明は、請求項１に記載されたブラウザアプリケーションソフトウェアの構成に加えて、前記所定コマンドが入力される前にコンピュータの表示部に表示されたメールブラウザにおいてテキストがユーザーによって選択され、前記所定コマンドが、前記選択されたテキストについてのソースコードにおいて所定の色の情報を付加する、または所定の色の情報に変更するコマンドであることにより、前述した課題をさらに解決するものである。
【０００８】
本請求項３に係る発明は、請求項１に記載されたブラウザアプリケーションソフトウェアの構成に加えて、前記所定コマンドが、前記コンピュータの表示部に表示されたブラウザにおいて現在表示している通信ネットワーク上のリソース特定情報であるユニフォーム・リソース・ロケータ情報をコピーするコマンドであることにより、前述した課題をさらに解決するものである。
【０００９】
本請求項４に係る発明は、請求項１に記載されたブラウザアプリケーションソフトウェアの構成に加えて、前記所定コマンドが、前記コンピュータの表示部に表示されたブラウザにおいて現在表示している通信ネットワーク上のリソース特定情報である第１ユニフォーム・リソース・ロケータに転送する第１ユニフォーム・リソース・ロケータよりも短い第２ユニフォーム・リソース・ロケータを作成するコマンドであることにより、前述した課題をさらに解決するものである。
【００１０】
本請求項５に係る発明は、請求項１に記載されたブラウザアプリケーションソフトウェアの構成に加えて、前記所定コマンドが入力される前にコンピュータの表示部に表示されたブラウザにおいてテキストがユーザーによって選択され、前記所定コマンドが、前記ブラウザの新たなタブまたは新たなウィンドウによって予め設定された所定ページを開くとともに選択されたテキストを入力するコマンドであることにより、前述した課題をさらに解決するものである。
【００１１】
本請求項６に係る発明は、請求項１に記載されたブラウザアプリケーションソフトウェアの構成に加えて、前記所定コマンドが入力される前にコンピュータの表示部に表示されたブラウザの複数のタブによって通信ネットワーク上のリソース特定情報であるユニフォーム・リソース・ロケータのリソース内容が表示され、前記所定コマンドが、前記複数のタブのグループの名前を入力自在なタブグループ保存ウィンドウを開いて、複数のタブにおいて現在開いているそれぞれのユニフォーム・リソース・ロケータ情報を１組として保存自在にする、または、前記タブの名前を入力自在なブックマーク保存ウィンドウを開いて、選択された１つのタブにおいて現在表示しているユニフォーム・リソース・ロケータ情報を保存自在にするコマンドであることにより、前述した課題をさらに解決するものである。
【００１２】
本請求項７に係る発明は、請求項１に記載されたブラウザアプリケーションソフトウェアの構成に加えて、前記所定コマンドが入力される前にコンピュータの表示部に表示された電子メールブラウザの電子メールにおけるテキストデータおよび画像データの少なくとも一方が選択され、前記所定コマンドが、前記電子メールのひな形の名前を入力自在なひな形保存ウィンドウを開いて、前記テキストデータおよび画像データの少なくとも一方の選択された箇所を電子メールのひな形として保存自在にするコマンドであることにより、前述した課題をさらに解決するものである。
【００１３】
本請求項８に係る発明は、請求項１に記載されたブラウザアプリケーションソフトウェアの構成に加えて、前記所定コマンドが入力される前にコンピュータの表示部に表示された電子メールブラウザにおいて１つの電子メールが選択されて表示され、前記所定コマンドが、新しいブラウザのタブまたは新たなウィンドウで予め設定されたスケジュール管理ページを開くとともに選択されたメール情報をスケジュール管理ページに登録自在にするコマンドであることにより、前述した課題をさらに解決するものである。
【００１４】
本請求項９に係る発明は、請求項１に記載されたブラウザアプリケーションソフトウェアの構成に加えて、前記所定コマンドが入力される前にコンピュータの表示部に表示されたブラウザにおいてカーソルが入力欄にあり、前記所定コマンドが、予め設定された電子スタンプ情報を取得して電子スタンプリストを新たなウィンドウで開くとともに電子スタンプを選択自在にするコマンドであることにより、前述した課題をさらに解決するものである。
【００１５】
本請求項１０に係る発明は、請求項１に記載されたブラウザアプリケーションソフトウェアの構成に加えて、前記所定コマンドが、前記コンピュータの日付時計制御部へアクセスして現在の日付時間情報を取得するとともにコンピュータの表示部に表示されたブラウザに表示するコマンドであることにより、前述した課題をさらに解決するものである。
【００１６】
本請求項１１に係る発明は、請求項１に記載されたブラウザアプリケーションソフトウェアの構成に加えて、前記所定コマンドが、前記コンピュータの日付時計制御部へアクセスして日付情報および時間情報の少なくとも一方をコピーするコマンドであることにより、前述した課題をさらに解決するものである。
【発明の効果】
【００１７】
本発明のブラウザアプリケーションソフトウェアは、コンピュータにインストールされることにより、ブラウザを表示することができるばかりでなく、以下のような特有の効果を奏することができる。
【００１８】
本請求項１に係る発明のブラウザアプリケーションソフトウェアによれば、キーボードにおけるキー操作で所定コマンドの所謂、ショートカットキーの操作が行われると所定の機能実行が求められたと判定されて所定動作が実行されるため、ユーザーはマウスを使用せずにショートカットキーの操作だけで、ブラウザ上で所定動作を素早く、かつ、簡単に実行させることができる。
【００１９】
本請求項２に係る発明のブラウザアプリケーションソフトウェアによれば、請求項１に係る発明が奏する効果に加えて、従来はマウスを用いてメールブラウザにおけるテキストの色を選択していたが、所定コマンドでメールブラウザにおけるテキストについての例えば、ＨＴＭＬ（HyperText Markup Language）またはＣＳＳ（Cascading Style Sheets）などのソースコードにおいて所定の色の情報が付加または所定の色の情報に変更されるため、ユーザーはメールブラウザにおけるテキストを選択して所定コマンドのショートカットキーの操作をするだけで、選択したテキストの色を、マウスを使用せずに素早く、かつ、簡単に変更することができる。
例えば、ユーザーは右手でマウスを操作してテキストを選択したと同時に左手で所定コマンドのショートカットキーの操作をするだけで、選択したテキストの色を変更することができ、作業効率を著しく向上させることができる。
【００２０】
本請求項３に係る発明のブラウザアプリケーションソフトウェアによれば、請求項１に係る発明が奏する効果に加えて、従来はマウスを用いてブラウザのユニフォーム・リソース・ロケータ（以下、ＵＲＬ）を選択してコピーしていたが、所定コマンドで現在表示しているＵＲＬがコピーされるため、ユーザーは所定コマンドのショートカットキーの操作をするだけで、ブラウザで現在表示しているＵＲＬを、マウスを使用せずに素早く、かつ、簡単にクリップボードにコピーすることができる。
【００２１】
本請求項４に係る発明のブラウザアプリケーションソフトウェアによれば、請求項１に係る発明が奏する効果に加えて、従来は第１ユニフォーム・リソース・ロケータをわざわざ別のインターネットページで入力して所謂、短縮ＵＲＬである第２ユニフォーム・リソース・ロケータを作成していたが、所定コマンドで現在表示しているＵＲＬの短縮ＵＲＬが作成されるため、ユーザーは所定コマンドのショートカットキーの操作をするだけで、ブラウザで現在表示しているＵＲＬの短縮ＵＲＬを、マウスを使用せずに素早く、かつ、簡単に作成することができる。
【００２２】
本請求項５に係る発明のブラウザアプリケーションソフトウェアによれば、請求項１に係る発明が奏する効果に加えて、従来は事前にブラウザで所定ページを開いてからテキストを選択してコピーしてから所定ページの入力欄にペーストして入力していたが、所定コマンドで新しいブラウザのタブまたは新たなウィンドウで所定ページが開かれるとともに現在選択されているテキストが入力されるため、ユーザーはテキストを選択して所定コマンドのショートカットキーの操作をするだけで、選択したテキストの内容を、マウスを使用せずに素早く、かつ、簡単に所定ページにおいて入力することができる。
【００２３】
本請求項６に係る発明のブラウザアプリケーションソフトウェアによれば、請求項１に係る発明が奏する効果に加えて、従来はマウスの操作によって１つのタブで表示されるリソース内容のＵＲＬだけが保存されて複数のタブの場合はそれぞれのタブについて別々にＵＲＬを保存していたが、所定コマンドで複数のタブにおいて現在開いているそれぞれのＵＲＬ情報が１組として保存自在となる、または１つのタブにおいて現在表示されているＵＲＬ情報が保存自在となるため、ユーザーは所定コマンドのショートカットキーの操作をして名前を付けてエンターキーを押すだけで、複数のタブにおいて現在開いているそれぞれのＵＲＬ情報を、マウスを使用せずに素早く、かつ、簡単に１組にして保存する、または１つのタブで現在表示しているＵＲＬ情報を、マウスを使用せずに素早く、かつ、簡単に保存することができる。
【００２４】
本請求項７に係る発明のブラウザアプリケーションソフトウェアによれば、請求項１に係る発明が奏する効果に加えて、従来はひな形にしたい箇所を選択してからマウスを用いてひな形として保存していたが、選択箇所が所定コマンドでひな形として保存自在となるため、ユーザーはテキストデータおよび画像データの少なくとも一方を選択して所定コマンドのショートカットキーの操作をして名前を付けてエンターキーを押すだけで、選択した箇所を、マウスを使用せずに素早く、かつ、簡単にひな形として保存することができる。
【００２５】
本請求項８に係る発明のブラウザアプリケーションソフトウェアによれば、請求項１に係る発明が奏する効果に加えて、従来は事前にブラウザでスケジュール管理ページを開いてから電子メールを選択してコピーしてからスケジュール管理ページの入力欄にペーストして入力していたが、所定コマンドで新しいブラウザのタブまたは新たなウィンドウでスケジュール管理ページが開かれるとともに選択されているメール情報がスケジュール管理ページに登録自在となるため、ユーザーは電子メールを選択して所定コマンドのショートカットキーの操作をしてから保存するだけで、選択した電子メールの情報を、素早く、かつ、簡単にスケジュール管理ページに登録することができる。
【００２６】
本請求項９に係る発明のブラウザアプリケーションソフトウェアによれば、請求項１に係る発明が奏する効果に加えて、従来はマウスを用いて電子スタンプリストを開いていたが、所定コマンドで電子スタンプリストが新たなウィンドウで開かれるとともに電子スタンプが選択自在になるため、ユーザーは電子スタンプを挿入したい箇所にカーソルを合わせて所定コマンドのショートカットキーの操作をするだけで、電子スタンプリストを、マウスを使用せずに素早く、かつ、簡単に新しいウィンドウで開くことができ、所望の電子スタンプを選択するだけで電子スタンプを挿入することができる。
【００２７】
本請求項１０に係る発明のブラウザアプリケーションソフトウェアによれば、請求項１に係る発明が奏する効果に加えて、従来はマウスを用いてコンピュータの表示部の隅の比較的小さくて見づらいインジケータをダブルクリックして新しいウィンドウで開いてインジケータの日付時計表示サイズより大きく日付時間情報を表示させていたが、所定コマンドで日付時間情報が表示部に表示されるため、ユーザーは所定コマンドのショートカットキーの操作をするだけで、日付時間情報を、マウスを使用せずに素早く、かつ、簡単に比較的大きい文字で表示させることができる。
【００２８】
本請求項１１に係る発明のブラウザアプリケーションソフトウェアによれば、請求項１に係る発明が奏する効果に加えて、従来は本日の日付や現在の時刻をキーボードでそのまま入力していたが、所定コマンドでコンピュータの日付情報および時間情報の少なくとも一方がコピーされるため、ユーザーは所定コマンドのショートカットキーの操作をするだけで、日付情報および時間情報の少なくとも一方を、マウスを使用せずに素早く、かつ、簡単にクリップボードにコピーすることができる。
【図面の簡単な説明】
【００２９】
【図１】本発明の第１実施例のブラウザアプリケーションソフトウェアの概略のチャートを示す図。
【図２】本発明の第１実施例のブラウザアプリケーションソフトウェアでテキストの色を変更する動作を説明する図。
【図３】（Ａ）（Ｂ）は本発明の第２実施例のブラウザアプリケーションソフトウェアでＵＲＬをコピーする動作および短縮ＵＲＬを作成しコピーする動作を説明する図。
【図４】（Ａ）（Ｂ）は本発明の第３実施例のブラウザアプリケーションソフトウェアで所定ページを開くとともに選択したテキストを入力する動作を説明する図。
【図５】（Ａ）（Ｂ）は本発明の第４実施例のブラウザアプリケーションソフトウェアで開いているタブを保存する動作および保存したタブの一群を選択して開く動作を説明する図。
【図６】（Ａ）（Ｂ）は本発明の第５実施例のブラウザアプリケーションソフトウェアで選択した電子メールのテキストをひな形として保存する動作および保存したひな形を選択して挿入する動作を説明する図。
【図７】（Ａ）（Ｂ）は本発明の第６実施例のブラウザアプリケーションソフトウェアでスケジュール管理ページを開くとともに選択した電子メールをスケジュール管理ページに登録する動作を説明する図。
【図８】（Ａ）（Ｂ）は本発明の第７実施例のブラウザアプリケーションソフトウェアで電子スタンプリストを開くとともに電子メールに挿入する動作を説明する図。
【図９】（Ａ）（Ｂ）は本発明の第８実施例のブラウザアプリケーションソフトウェアで日付時間情報をブラウザに表示する動作を説明する図。
【図１０】（Ａ）（Ｂ）は本発明の第９実施例のブラウザアプリケーションソフトウェアで日付情報をコピーしてペーストする動作を説明する図。
【発明を実施するための形態】
【００３０】
本発明のブラウザアプリケーションソフトウェアは、コンピュータに入力信号を送るキーボードを介して入力されたキー操作が所定動作を実行するための所定コマンドか否かを判定するコマンド判定ステップと、所定コマンドが入力されたと判定したとき、所定コマンドに基づいて所定動作を実行する実行ステップとをコンピュータに実行させることにより、ユーザーがマウスを使用せずにショートカットキーの操作だけで、ブラウザ上で所定動作を素早く、かつ、簡単に実行させることができるものであれば、その具体的な実施態様は、如何なるものであっても構わない。
【００３１】
例えば、キーボードは、コンピュータと有線接続されたものや、無線通信自在に無線接続されたものでもよいし、コンピュータのディスプレイである表示部に表示されたものでもよい。
また、コンピュータは、デスクトップ型パーソナルコンピュータ、ノート型パーソナルコンピュータ、スマートフォン、タブレットなど、ブラウザアプリケーションソフトウェアを実行するものであれば如何なるものであっても構わない。
さらに、ブラウザアプリケーションソフトウェアの概念には、ブラウザアプリケーションソフトウェア自体だけでなく、ブラウザアプリケーションソフトウェアの機能を拡張するブラウザアプリケーションソフトウェア追加用アドオンプログラム（以下、追加用アドオンプログラム）が含まれるものとする。
【実施例１】
【００３２】
以下に、本発明の第１実施例であるブラウザアプリケーションソフトウェアについて、図１および図２に基づいて説明する。
ここで、図１は、本発明の第１実施例のブラウザアプリケーションソフトウェアの概略のチャートを示す図であり、図２は、本発明の第１実施例のブラウザアプリケーションソフトウェアでテキストの色を変更する動作を説明する図である。
【００３３】
本発明の第１実施例であるブラウザアプリケーションソフトウェアは、コンピュータにインストールされている。
本実施例では、ブラウザアプリケーションソフトウェアとして説明するが、追加用アドオンプログラムであってもよい。
追加用アドオンプログラムは、コンピュータにおいて実行するブラウザアプリケーションソフトウェアの機能を拡張するものである。
前提として、コンピュータには、ブラウザアプリケーションソフトウェアがインストールされている。
さらに、追加用アドオンプログラムが、コンピュータにインストールされている。
本実施例では、一例として、ウェブメールブラウザ１００Ａ（以下、単にメールブラウザ）の新規のメール作成ウィンドウ１１０において選択したテキストの色を変更する機能について説明する。
【００３４】
図１に示すステップＳ１では、コマンド判定ステップとして、コンピュータに入力信号を送るキーボードを介して入力されたキー操作が所定動作を実行するための所定コマンドか否かを、コンピュータが判定する。
ここで、アドオンプログラムの場合は、アドオン開始コマンド判定ステップとして、コンピュータに入力信号を送るキーボードを介してユーザーによって入力されたキー操作がアドオンプログラムを開始するための所定コマンドである第１所定コマンドか否かを、コンピュータが判定する。
具体的には、第１所定コマンドの一例として「Ａｌｔ」＋「Ｓ」キー（「Ａｌｔ」キーを押しながら「Ｓ」キーを押す操作）か否かを判定し、「Ａｌｔ」＋「Ｓ」キーの入力があったと判定した場合は、ステップＳ２へ進み、否と判定した場合は、ステップＳ１を繰り返す。
「Ａｌｔ」＋「Ｓ」キーの入力があったと判定したとき、コンピュータは、ユーザーからアドオン機能が求められたと判定する。
ここで、ブラウザアプリケーションソフトウェアにおいて、キーの設定に空きがあれば、第１所定コマンドの設定を省略し、最初から所定コマンドとして後述する第２所定コマンドに基づいて動作するように設定してもよいのは勿論である。
【００３５】
続いて、アドオン機能実行コマンド判定ステップとして、第１所定コマンドに続けてユーザーによって入力されたキー操作がアドオンプログラムの所定動作を実行するための所定コマンドである第２所定コマンドか否かを、コンピュータが判定する。
具体的には、「Ａｌｔ」＋「Ｓ」キーに続けて、第２所定コマンドの一例として「Ａｌｔ」＋「Ｒ」キーなどか否かを判定し、「Ａｌｔ」＋「Ｒ」キーなどの入力があったと判定した場合は、ステップＳ２へ進み、否と判定した場合は、ステップＳ１へ戻る。
なお、第１所定コマンドの入力から第２所定コマンドの入力まで「Ａｌｔ」キーは押したままである。
【００３６】
ステップＳ２では、所定動作を実行する実行ステップとして、コンピュータが、所定コマンドに基づいて所定動作を実行する。
つまり、ブラウザアプリケーションソフトウェアでは、上述した第１所定コマンドの一例として「Ａｌｔ」＋「Ｓ」キーの入力は不要であり、実質的なコマンドである第２所定コマンドの「Ａｌｔ」＋「Ｒ」キーに基づいて所定動作を実行する。
ここで、アドオンプログラムの場合は、アドオン機能実行ステップとして、コンピュータが、第２所定コマンドに基づいて所定動作を実行する。
具体的には、「Ａｌｔ」＋「Ｒ」キーの場合、図２に示すように、ブラウザ１００のタブ１００Ｔで表示されたＷｅｂメール画面であるメールブラウザ１００Ａで、メール作成ウィンドウ１１０が開かれている。
そして、第１所定コマンドが入力される前に、メール作成ウィンドウ１１０におけるテキスト選択箇所１１１に示すように、例えば「カメラによる撮影はご遠慮ください！」のテキストがユーザーによって選択されている。
この状態で、第１所定コマンドが入力され、続けて第２所定コマンドとして「Ａｌｔ」＋「Ｒ」キーが入力されると、所定動作として、コンピュータが、テキスト選択箇所１１１についてのＨＴＭＬ（HyperText Markup Language）またはＣＳＳ（Cascading Style Sheets）などのソースコードにおいて、色の情報を赤色の情報に変更して、または赤色の情報を付加して、表示されたテキスト選択箇所１１１の文字を赤色へ変更する。
【００３７】
ここで、第２所定コマンドとして「Ａｌｔ」＋「Ｂ」キーが入力された場合、所定動作として、コンピュータが、「Ａｌｔ」＋「Ｒ」キーのときと同様にソースコードの情報を変更して、テキスト選択箇所１１１の文字を青色へ変更する。
同様に、「Ａｌｔ」＋「Ｇ」キーの場合は、文字を緑色へ変更し、「Ａｌｔ」＋「Ｐ」キーの場合は、文字をピンク色へ変更し、「Ａｌｔ」＋「Ｏ」キーの場合は、文字をオレンジ色へ変更し、「Ａｌｔ」＋「Ａ」キーの場合は、文字を灰色へ変更し、「Ａｌｔ」＋「Ｌ」キーの場合は、文字を黒色へ変更するように構成されている。
【００３８】
これにより、第２所定コマンドでＷｅｂメール画面（メールブラウザ１００Ａ）およびメール作成ウィンドウ１１０におけるテキストの色が指定される。
その結果、ユーザーはＷｅｂメール画面（メールブラウザ１００Ａ）およびメール作成ウィンドウ１１０におけるテキストを選択して第１所定コマンドおよび第２所定コマンドのショートカットキーの操作をするだけで、選択したテキストの色を、マウスを使用せずに素早く、かつ、簡単に変更することができる。
例えば、ユーザーは右手でマウスを操作してテキストを選択したと同時に左手で第１所定コマンドおよび第２所定コマンドのショートカットキーの操作をするだけで、選択したテキストの色を変更することができ、作業効率を著しく向上させることができる。
なお、本実施例では、第２所定コマンドでテキストの色を指定して変更したが、フォントの書体や太字、斜体などの文字情報を変更するように構成してもよいのは勿論である。
【００３９】
このようにして得られた本発明の第１実施例であるブラウザアプリケーションソフトは、コンピュータに入力信号を送るキーボードを介して入力されたキー操作が所定動作を実行するための所定コマンドか否かを判定するコマンド判定ステップ（Ｓ１）と、所定コマンドが入力されたと判定したとき、所定コマンドに基づいて所定動作を実行する実行ステップ（Ｓ２）とをコンピュータに実行させることにより、ユーザーはマウスを使用せずにショートカットキーの操作だけで、ブラウザ上で所定動作を素早く、かつ、簡単に実行させることができる。
【００４０】
さらに、所定コマンド（第１所定コマンド）が入力される前にコンピュータの表示部に表示されたメールブラウザ１００Ａにおいてテキストがユーザーによって選択され、所定コマンド（第２所定コマンド）が、選択されたテキストについて所定の色の情報を付加する、または所定の色の情報に変更するコマンドであることにより、ユーザーはメールブラウザ１００Ａにおけるテキストを選択して所定コマンド（第１所定コマンドおよび第２所定コマンド）のショートカットキーの操作をするだけで、選択したテキストの色を、マウスを使用せずに素早く、かつ、簡単に変更することができ、作業効率を著しく向上させることができる。
また、本発明の第１実施例であるブラウザアプリケーションソフトウェア追加用アドオンプログラムは、コンピュータに入力信号を送るキーボードを介して入力されたキー操作がアドオンプログラムを開始するための第１所定コマンドか否かを判定するアドオン開始コマンド判定ステップ（Ｓ１）と、第１所定コマンドに続けて入力されたキー操作がアドオンプログラムの所定動作を実行するための第２所定コマンドか否かを判定するアドオン機能実行コマンド判定ステップ（Ｓ１）と、第１所定コマンドに続けて第２所定コマンドが入力されたと判定したとき、第２所定コマンドに基づいて所定動作を実行するアドオン機能実行ステップ（Ｓ２）とをコンピュータに実行させることにより、ユーザーはマウスを使用せずにショートカットキーの操作だけで、ブラウザアプリケーションソフトウェア上で所定動作を素早く、かつ、簡単に実行させることができるなど、その効果は甚大である。
【実施例２】
【００４１】
続いて、本発明の第２実施例であるブラウザアプリケーションソフトウェアについて、図３（Ａ）および図３（Ｂ）に基づいて説明する。
ここで、図３（Ａ）は、ブラウザ１００の表示を示す図であり、図３（Ｂ）は、本発明の第２実施例のブラウザアプリケーションソフトウェアでＵＲＬをコピーする動作および短縮ＵＲＬを作成しコピーする動作を説明する図である。
第２実施例のブラウザアプリケーションソフトウェアは、第１実施例のブラウザアプリケーションソフトウェアの所定コマンド（第２所定コマンド）を別の機能にしたものであり、多くの要素について第１実施例のブラウザアプリケーションソフトウェアと共通するので、共通する事項については詳しい説明を省略する。
【００４２】
本実施例では、図３（Ａ）に示すように、コンピュータの表示部に表示されたブラウザ１００が、通信ネットワーク上のリソース特定情報であるユニフォーム・リソース・ロケータの任意のリソース内容を表示している。
具体的に、ブラウザ１００の複数のタブ１００Ｔの１つによって、例えば、「２０１７年ＩＴ博覧会」のページが表示されているとする。
このとき、ユーザーが、キーボードで所定コマンド（第１所定コマンド）「Ａｌｔ」＋「Ｓ」キーを入力し、続けて所定コマンド（第２所定コマンド）の一例として「Ａｌｔ」＋「Ｕ」キーを入力する。
そして、コンピュータが、所定コマンド（第２所定コマンド）の所定動作として、ブラウザ１００のタブ１００Ｔによって現在表示されているＵＲＬを読みに行き、そのＵＲＬ情報１１３をクリップボードにコピーする。
なお、コンピュータがＵＲＬを読みに行くときの行き先は、ブラウザ１００のタブ１００Ｔのソースコードでもよいし、コンピュータの表示制御部でもよい。
【００４３】
これにより、ユーザーは、メール作成ウィンドウ１１０を開いて、「Ｃｔｒｌ」＋「Ｖ」キーを入力すると、先ほどコピーしたＵＲＬ情報１１３がメール作成ウィンドウ１１０のカーソル１１２の位置に挿入（ペースト）される。
その結果、ユーザーは所定コマンド（第１所定コマンドおよび第２所定コマンド）のショートカットキーの操作をするだけで、ブラウザ１００で現在表示しているＵＲＬを、マウスを使用せずに素早く、かつ、簡単にクリップボードにコピーすることができる。
なお、一例として、メール作成ウィンドウ１１０のカーソル１１２の位置にペーストしてＵＲＬ情報１１３を挿入したが、ブラウザ１００の入力欄や、ブラウザ１００以外の他のアプリケーションの入力欄にペーストしてＵＲＬ情報１１３を挿入することもできるのは勿論である。
【００４４】
同様に、「２０１７年ＩＴ博覧会」のページが表示されているとき、ユーザーが、キーボードで所定コマンド（第１所定コマンド）「Ａｌｔ」＋「Ｓ」キーを入力し、続けて所定コマンド（第２所定コマンド）の一例として「Ａｌｔ」＋「Ｉ」キーを入力する。
すると、コンピュータが、所定コマンド（第２所定コマンド）の所定動作として、ブラウザ１００のタブ１００Ｔによって現在表示されているＵＲＬを読みに行き、そのＵＲＬに転送する短縮ＵＲＬを作成するとともに、その短縮ＵＲＬ情報１１４をクリップボードにコピーする。
これにより、ユーザーは、メール作成ウィンドウ１１０に切り替えて、「Ｃｔｒｌ」＋「Ｖ」キーを入力すると、先ほどコピーした短縮ＵＲＬ情報１１４がメール作成ウィンドウ１１０のカーソル１１２の位置に挿入（ペースト）される。
その結果、ユーザーは所定コマンド（第１所定コマンドおよび第２所定コマンド）のショートカットキーの操作をするだけで、ブラウザ１００で現在表示しているＵＲＬの短縮ＵＲＬを、マウスを使用せずに素早く、かつ、簡単に作成することができる。
なお、短縮ＵＲＬの作成の仕方は、短縮ＵＲＬを作成するインターネットページのブラウザの構成と同様、転送先のＵＲＬ情報を入力し、転送元となる短縮ＵＲＬ情報を、短縮ＵＲＬを提供するサーバに登録するとともにコピーしてユーザーに知らせる。
【００４５】
このようにして得られた本発明の第２実施例であるブラウザアプリケーションは、所定コマンド（第２所定コマンド）が、コンピュータの表示部に表示されたブラウザ１００おいて現在表示している通信ネットワーク上のリソース特定情報であるユニフォーム・リソース・ロケータ情報をコピーするコマンドであることにより、ユーザーは所定コマンド（第１所定コマンドおよび第２所定コマンド）のショートカットキーの操作をするだけで、ブラウザ１００で現在表示しているＵＲＬを、マウスを使用せずに素早く、かつ、簡単にクリップボードにコピーすることができる。
【００４６】
また、所定コマンド（第２所定コマンド）が、コンピュータの表示部に表示されたブラウザ１００において現在表示している通信ネットワーク上のリソース特定情報である第１ユニフォーム・リソース・ロケータに転送する第１ユニフォーム・リソース・ロケータである通常のＵＲＬよりも短い第２ユニフォーム・リソース・ロケータである短縮ＵＲＬを作成するコマンドであることにより、ユーザーは所定コマンド（第１所定コマンドおよび第２所定コマンド）のショートカットキーの操作をするだけで、ブラウザ１００で現在表示しているＵＲＬの短縮ＵＲＬを、マウスを使用せずに素早く、かつ、簡単に作成することができるなど、その効果は甚大である。
【実施例３】
【００４７】
続いて、本発明の第３実施例であるブラウザアプリケーションソフトウェアについて、図４（Ａ）および図４（Ｂ）に基づいて説明する。
ここで、図４（Ａ）は、メールブラウザ１００Ａの表示を示す図であり、図４（Ｂ）は、本発明の第３実施例のブラウザアプリケーションソフトウェアで所定ページとしての検索エンジンページ１２０を開くとともに選択したテキストを入力する動作を説明する図である。
第３実施例のブラウザアプリケーションソフトウェアは、第１実施例のブラウザアプリケーションソフトウェアの所定コマンド（第２所定コマンド）を別の機能にしたものであり、多くの要素について第１実施例のブラウザアプリケーションソフトウェアと共通するので、共通する事項については詳しい説明を省略する。
【００４８】
本実施例では、図４（Ａ）に示すように、コンピュータの表示部に表示されたメールブラウザ１００Ａが、受信トレイの中でスレッドにまとめられた電子メールを表示している。
そして、テキスト選択箇所１１５に示すように、ユーザーが、電子メールのテキストの一部「△△△」を選択している。
このとき、ユーザーが、キーボードで所定コマンド（第１所定コマンド）「Ａｌｔ」＋「Ｓ」キーを入力し、続けて所定コマンド（第２所定コマンド）の一例として「Ａｌｔ」＋「Ｗ」、「Ａｌｔ」＋「Ａ」キーを入力する。
なお、所定コマンド（第１所定コマンド）の入力から所定コマンド（第２所定コマンド）の「Ａ」キーの入力まで、「Ａｌｔ」キーは連続して押したままである。
【００４９】
そして、コンピュータが、図４（Ｂ）に示すように、所定コマンド（第２所定コマンド）の所定動作として、ブラウザ１００の新たなタブ１００Ｔによって予め設定された所定ページとして検索エンジンページ１２０を開くとともに選択されたテキスト「△△△」を入力欄１２１に入力し、検索実行する。
これにより、選択されたテキストの検索結果が、ブラウザ１００の新たなタブ１００Ｔの検索エンジンページ１２０の入力欄１２１の下に表示される。
【００５０】
その結果、ユーザーはテキストを選択して所定コマンド（第１所定コマンドおよび第２所定コマンド）のショートカットキーの操作をするだけで、選択したテキストの内容を、マウスを使用せずに素早く、かつ、簡単に所定ページの一例である検索エンジンページ１２０において入力することができる。
なお、一例として、メールブラウザ１００Ａにおける受信メールのテキストを選択したが、他のブラウザ１００のインターネットページのテキストを選択して所定コマンド（第１所定コマンドおよび第２所定コマンド）を入力して、検索エンジンページ１２０を開くとともに選択されたテキストを入力欄１２１に入力し、検索実行することができるのは勿論である。
【００５１】
同様に、予め設定された所定ページとして地図ページをブラウザ１００の新たなタブ１００Ｔで開くとともに選択されたテキストを入力欄に入力し、検索実行するように構成してもよい。
具体的には、ユーザーが、電子メールのテキストの一部を選択している状態で、キーボードで所定コマンド（第１所定コマンド）「Ａｌｔ」＋「Ｓ」キーを入力し、続けて所定コマンド（第２所定コマンド）の一例として「Ａｌｔ」＋「Ｗ」、「Ａｌｔ」＋「Ｂ」キーを入力する。
すると、コンピュータが、所定コマンド（第２所定コマンド）の所定動作として、ブラウザ１００の新たなタブ１００Ｔによって予め設定された所定ページとして地図ページを開くとともに選択されたテキストを入力欄に入力し、検索実行する。
これにより、選択されたテキストの地図ページにおける検索結果が、地図ページに表示される。
その結果、ユーザーはテキストを選択して所定コマンド（第１所定コマンドおよび第２所定コマンド）のショートカットキーの操作をするだけで、選択したテキスト情報で特定される位置およびその周辺を、マウスを使用せずに素早く、かつ、簡単に表示させることができる。
【００５２】
さらに、予め設定された所定ページとして検索エンジンページ１２０をブラウザ１００の新たなタブ１００Ｔで開くとともに選択されたテキストに加えて予め設定されたテキストの一例である「従業員数」を入力欄１２１に入力し、検索実行するように構成してもよい。
具体的には、ユーザーが、電子メールのテキストの一部である名前の箇所を選択している状態で、キーボードで所定コマンド（第１所定コマンド）「Ａｌｔ」＋「Ｓ」キーを入力し、続けて所定コマンド（第２所定コマンド）の一例として「Ａｌｔ」＋「Ｗ」、「Ａｌｔ」＋「Ｃ」キーを入力する。
【００５３】
すると、コンピュータが、所定コマンド（第２所定コマンド）の所定動作として、ブラウザ１００の新たなタブ１００Ｔによって予め設定された所定ページとして検索エンジンページ１２０を開くとともに選択されたテキストおよび「従業員数」を入力欄１２１に入力し、検索実行する。
これにより、選択されたテキストおよび「従業員数」の検索結果が、ブラウザ１００の新たなタブ１００Ｔの検索エンジンページ１２０の入力欄１２１の下に表示される。
その結果、ユーザーは、会社名の箇所をテキストで選択して所定コマンド（第１所定コマンドおよび第２所定コマンド）のショートカットキーの操作をするだけで、選択した会社名についての企業規模などの会社情報を、マウスを使用せずに素早く、かつ、簡単に表示させることができる。
【００５４】
また、予め設定された所定ページとして社内の顧客情報管理システムの顧客検索ページをブラウザ１００の新たなタブ１００Ｔで開くとともに選択されたテキストを入力欄に入力し、検索実行するように構成してもよい。
具体的には、ユーザーが、電子メールのテキストの一部である名前の箇所を選択している状態で、キーボードで所定コマンド（第１所定コマンド）「Ａｌｔ」＋「Ｓ」キーを入力し、続けて所定コマンド（第２所定コマンド）の一例として「Ａｌｔ」＋「Ｗ」、「Ａｌｔ」＋「Ｄ」キーを入力する。
すると、コンピュータが、所定コマンド（第２所定コマンド）の所定動作として、ブラウザ１００の新たなタブ１００Ｔによって予め設定された所定ページとして顧客情報管理システムの顧客検索ページを開くとともに選択された名前のテキストを入力欄１２１に入力し、検索実行する。
【００５５】
これにより、顧客情報管理システムにおける名前の検索結果が、ブラウザ１００の新たなタブ１００Ｔの顧客検索ページに表示される。
その結果、ユーザーは、名前の箇所をテキストで選択して所定コマンド（第１所定コマンドおよび第２所定コマンド）のショートカットキーの操作をするだけで、選択した名前についての社内の顧客情報管理システムにおける登録情報を、マウスを使用せずに素早く、かつ、簡単に表示させることができる。
【００５６】
なお、本実施例では、新しいブラウザ１００のタブ１００Ｔで所定ページを開いたが、所定コマンド（第２所定コマンド）の「Ａｌｔ」＋「Ｗ」を「Ａｌｔ」＋「Ｖ」に変更して、新たなブラウザ１００のウィンドウで所定ページを開くように構成してもよい。
具体的には、ユーザーが、テキストを選択した状態で、キーボードで所定コマンド（第１所定コマンド）「Ａｌｔ」＋「Ｓ」キーを入力し、続けて所定コマンド（第２所定コマンド）の一例として「Ａｌｔ」＋「Ｖ」、「Ａｌｔ」＋「Ａ」キーを入力する。
すると、コンピュータが、所定コマンド（第２所定コマンド）の所定動作として、新たなブラウザ１００のウィンドウによって予め設定された所定ページとして検索エンジンページ１２０を開くとともに選択されたテキストを入力欄１２１に入力し、検索実行する。
【００５７】
同様に、所定コマンド（第１所定コマンド）「Ａｌｔ」＋「Ｓ」キー、所定コマンド（第２所定コマンド）「Ａｌｔ」＋「Ｖ」、「Ａｌｔ」＋「Ｂ」キーの場合は、新たなブラウザ１００のウィンドウによって地図ページが開かれるとともに選択されたテキストが入力欄に入力されて、検索実行される。
所定コマンド（第１所定コマンド）「Ａｌｔ」＋「Ｓ」キー、所定コマンド（第２所定コマンド）「Ａｌｔ」＋「Ｖ」、「Ａｌｔ」＋「Ｃ」キーの場合は、新たなブラウザ１００のウィンドウによって検索エンジンページ１２０が開かれるとともに選択されたテキストおよび「従業員数」が入力欄１２１に入力されて、検索実行される。
所定コマンド（第１所定コマンド）「Ａｌｔ」＋「Ｓ」キー、所定コマンド（第２所定コマンド）「Ａｌｔ」＋「Ｖ」、「Ａｌｔ」＋「Ｄ」キーの場合は、新たなブラウザ１００のウィンドウによって顧客情報管理システムの顧客検索ページが開かれるとともに選択された名前のテキストが入力欄に入力されて、検索実行される。
【００５８】
なお、新たなブラウザ１００のウィンドウを所謂、ポップアップで開く場合、ショートカットのヘルプ・オプション設定でウィンドウの縦横サイズを設定することができる。
ショートカットのヘルプ・オプション設定は、ブラウザ１００を選択した状態で、所定コマンド（第１所定コマンド）「Ａｌｔ」＋「Ｓ」キー、所定コマンド（第２所定コマンド）の一例として「Ａｌｔ」＋「Ｈ」キーを入力すると、ブラウザ１００の新たなタブ１００Ｔで表示される。
また、ショートカットのヘルプ・オプション設定において、上記の所定ページのＵＲＬ情報１１３を入力して所定ページを所望のページに変更して保存することができる。
【００５９】
このようにして得られた本発明の第３実施例であるブラウザアプリケーションソフトウェアは、所定コマンド（第１所定コマンド）が入力される前にコンピュータの表示部に表示されたブラウザ１００においてテキストがユーザーによって選択され、所定コマンド（第２所定コマンド）が、ブラウザ１００の新たなタブ１００Ｔまたは新たなウィンドウによって予め設定された所定ページを開くとともに選択されたテキストを入力するコマンドであることにより、ユーザーはテキストを選択して所定コマンド（第１所定コマンドおよび第２所定コマンド）のショートカットキーの操作をするだけで、選択したテキストの内容を、マウスを使用せずに素早く、かつ、簡単に所定ページにおいて入力することができるなど、その効果は甚大である。
【実施例４】
【００６０】
続いて、本発明の第４実施例であるブラウザアプリケーションソフトウェアについて、図５（Ａ）および図５（Ｂ）に基づいて説明する。
ここで、図５（Ａ）は、本発明の第４実施例のブラウザアプリケーションソフトウェアで開いているブラウザ１００のタブ１００Ｔを保存する動作を説明する図であり、図５（Ｂ）は、保存したタブ１００Ｔの一群を選択して開く動作を説明する図である。
第４実施例のブラウザアプリケーションソフトウェアは、第１実施例のブラウザアプリケーションソフトウェアの所定コマンド（第２所定コマンド）を別の機能にしたものであり、多くの要素について第１実施例のブラウザアプリケーションソフトウェアと共通するので、共通する事項については詳しい説明を省略する。
【００６１】
本実施例では、図５（Ａ）に示すように、コンピュータの表示部に表示されたブラウザ１００の複数のタブ１００Ｔによって通信ネットワーク上のリソース特定情報であるＵＲＬのリソース内容が表示されている。
ユーザーがコンピュータで作業しているとき、関連する複数のインターネットページをブラウザ１００の複数のタブ１００ＴでＵＲＬのリソース内容を表示させて、作業しているとする。
そして、今後もそれら複数のタブ１００Ｔで表示させているＵＲＬ情報１１３を使用することが考えられる。
このとき、ユーザーは、キーボードで所定コマンド（第１所定コマンド）「Ａｌｔ」＋「Ｓ」キーを入力し、続けて所定コマンド（第２所定コマンド）の一例として「Ａｌｔ」＋「Ｔ」、「Ａｌｔ」＋「Ｈ」キーを入力する。
なお、所定コマンド（第１所定コマンド）の入力から所定コマンド（第２所定コマンド）の「Ｈ」キーの入力まで、「Ａｌｔ」キーは連続して押したままである。
【００６２】
すると、コンピュータが、所定コマンド（第２所定コマンド）の所定動作として、複数のタブ１００Ｔのグループの名前を入力自在なタブグループ保存ウィンドウ１３０を開いて、複数のタブ１００Ｔにおいて現在開いているそれぞれのＵＲＬ情報を１組として保存自在にする。
ここで、「保存自在」とは、保存する直前であって、ユーザーが保存するか否かを選択自在な段階（状態）のことをいう。
ユーザーは、タブグループ保存ウィンドウ１３０の入力欄１３１にタブグループ名の一例として「△△△関連」を入力し、保存ボタンを押す、またはエンターキーを押す。
これにより、コンピュータによって、ブラウザ１００の複数のタブ１００Ｔにおいて現在開いているそれぞれのＵＲＬ情報１１３が１組として保存される。
その結果、ユーザーは所定コマンド（第１所定コマンドおよび第２所定コマンド）のショートカットキーの操作をして名前を付けてエンターキーを押すだけで、複数のタブ１００Ｔにおいて現在開いているそれぞれのＵＲＬ情報１１３を、マウスを使用せずに素早く、かつ、簡単に１組にして保存することができる。
【００６３】
なお、ＵＲＬ情報１１３の保存場所は、ユーザーのコンピュータの記憶部でもよいし、他のコンピュータ、サーバやクラウド上でもよい。
また、本実施例では、所定コマンド（第１所定コマンドおよび第２所定コマンド）の入力により、タブグループ保存ウィンドウ１３０を開いたが、これを開かずに、複数のタブ１００Ｔの名前をつなぎ合わせた名前で一群のＵＲＬ情報１１３を保存するように構成してもよい。
【００６４】
続いて、保存した一群のＵＲＬ情報１１３を使用して再度、ブラウザ１００の複数のタブ１００Ｔで表示させたい場合がある。
このとき、ユーザーは、ブラウザアプリケーションソフトを起動させて、ブラウザ１００を選択してブラウザ１００をアクティブにする。
そして、キーボードで所定コマンド（第１所定コマンド）「Ａｌｔ」＋「Ｓ」キーを入力し、続けて所定コマンド（第２所定コマンド）の一例として「Ａｌｔ」＋「Ｔ」、「Ａｌｔ」＋「Ｏ」キーを入力する。
すると、図５（Ｂ）に示すように、コンピュータが、保存された一群のＵＲＬ情報１１３を読み込み、タブグループリスト表示ウィンドウ１４０を表示するとともに、一群のＵＲＬ情報１１３のタブグループ名を選択自在にする。
ユーザーは、色反転で示される選択箇所１４１を動かして所望の一群のＵＲＬ情報１１３のタブグループ名を選択し、ＯＫボタンを押す、またはエンターキーを押す。
【００６５】
例えば、「△△△関連」を選択してエンターキーを押したとする。
すると、ブラウザ１００の各タブ１００Ｔが、一群のＵＲＬ情報１１３を読み込むとともにサーバにアクセスしてリソース内容を読み込む。
これにより、図５（Ａ）に示すブラウザ１００の複数のタブ１００Ｔの表示内容が再度表示される。
その結果、ユーザーは所定コマンド（第１所定コマンドおよび第２所定コマンド）のショートカットキーの操作をするだけで、一群のＵＲＬ情報１１３のタブグループ名を、マウスを使用せずに素早く、かつ、簡単にタブグループリスト表示ウィンドウ１４０で開くことができる。
さらに、所望の一群のＵＲＬ情報１１３のタブグループ名を選択するだけで、ブラウザ１００の複数のタブ１００ＴでそれらＵＲＬのリソース内容を表示させることができる。
【００６６】
なお、本実施例では、ブラウザ１００の複数のタブ１００Ｔで開いている一群のＵＲＬ情報１１３を１組として保存したが、所定コマンド（第２所定コマンド）の「Ａｌｔ」＋「Ｔ」を「Ａｌｔ」＋「Ｋ」に変更して、選択しているタブ１００Ｔで表示しているＵＲＬ情報１１３をブックマークとして保存するように構成してもよい。
具体的には、ユーザーが、ブラウザ１００を選択し、ブラウザ１００を複数のタブ１００Ｔで開いている場合は１つのタブ１００Ｔを選択してアクティブにする。
つまり、ブックマークとして保存したいインターネットページを選択してアクティブにする。
そして、キーボードで所定コマンド（第１所定コマンド）「Ａｌｔ」＋「Ｓ」キーを入力し、続けて所定コマンド（第２所定コマンド）の一例として「Ａｌｔ」＋「Ｋ」、「Ａｌｔ」＋「Ｈ」キーを入力する。
【００６７】
すると、コンピュータが、所定コマンド（第２所定コマンド）の所定動作として、ブックマーク保存ウィンドウを開いて、アクティブなタブ１００Ｔにおいて現在表示しているＵＲＬ情報をブックマークとして保存自在にする。
ユーザーは、ブックマーク保存ウィンドウの入力欄にブックマークとして保存したいページ名を入力し、保存ボタンを押す、またはエンターキーを押す。
これにより、コンピュータによって、ブラウザ１００において現在表示しているリソース内容に対応するＵＲＬ情報１１３が保存される。
その結果、ユーザーは所定コマンド（第１所定コマンドおよび第２所定コマンド）のショートカットキーの操作をして名前を付けてエンターキーを押すだけで、ブラウザ１００において現在表示しているリソース内容に対応するＵＲＬ情報１１３を、マウスを使用せずに素早く、かつ、簡単に保存することができる。
【００６８】
また、保存したＵＲＬ情報１１３を使用して再度、ブラウザ１００で表示させたい場合がある。
このとき、ユーザーは、ブラウザアプリケーションソフトを起動させて、ブラウザ１００を選択してブラウザ１００をアクティブにする。
そして、キーボードで所定コマンド（第１所定コマンド）「Ａｌｔ」＋「Ｓ」キーを入力し、続けて所定コマンド（第２所定コマンド）の一例として「Ａｌｔ」＋「Ｋ」、「Ａｌｔ」＋「Ｏ」キーを入力する。
すると、コンピュータが、保存されたＵＲＬ情報１１３を読み込み、ブックマークリスト表示ウィンドウを表示するとともに、ＵＲＬ情報１１３につけられたページ名を選択自在にする。
【００６９】
ユーザーは、色反転で示される選択箇所を動かして所望のＵＲＬ情報１１３のページ名を選択し、ＯＫボタンを押す、またはエンターキーを押す。
すると、ブラウザ１００がＵＲＬ情報１１３を読み込むとともにサーバにアクセスしてリソース内容を読み込む。
これにより、選択したＵＲＬのリソース内容が、ブラウザ１００に再度表示される。
その結果、ユーザーは所定コマンド（第１所定コマンドおよび第２所定コマンド）のショートカットキーの操作をするだけで、以前に保存したＵＲＬ情報１１３のページ名を、マウスを使用せずに素早く、かつ、簡単にブックマークリスト表示ウィンドウで開くことができる。
さらに、所望のＵＲＬ情報１１３のページ名を選択するだけで、ブラウザ１００でそのＵＲＬのリソース内容を表示させることができる。
【００７０】
このようにして得られた本発明の第４実施例であるブラウザアプリケーションソフトウェアは、所定コマンド（第１所定コマンド）が入力される前にコンピュータの表示部に表示されたブラウザ１００の複数のタブ１００Ｔによって通信ネットワーク上のリソース特定情報であるユニフォーム・リソース・ロケータのリソース内容が表示され、所定コマンド（第２所定コマンド）が、複数のタブ１００Ｔのグループの名前を入力自在なタブグループ保存ウィンドウ１３０を開いて、複数のタブ１００Ｔにおいて現在開いているそれぞれのユニフォーム・リソース・ロケータ情報を１組として保存自在にする、または、タブ１００Ｔの名前を入力自在なブックマーク保存ウィンドウを開いて、選択された１つのタブ１００Ｔにおいて現在表示しているユニフォーム・リソース・ロケータ情報を保存自在にするコマンドであることにより、ユーザーは所定コマンド（第１所定コマンドおよび第２所定コマンド）のショートカットキーの操作をして名前を付けてエンターキーを押すだけで、複数のタブ１００Ｔにおいて現在開いているそれぞれのＵＲＬ情報１１３を、マウスを使用せずに素早く、かつ、簡単に１組にして保存する、または１つのタブ１００Ｔで現在表示しているＵＲＬ情報１１３を、マウスを使用せずに素早く、かつ、簡単に保存することができるなど、その効果は甚大である。
【実施例５】
【００７１】
続いて、本発明の第５実施例であるブラウザアプリケーションソフトウェアについて、図６（Ａ）および図６（Ｂ）に基づいて説明する。
ここで、図６（Ａ）は、本発明の第５実施例のブラウザアプリケーションソフトウェアで選択した電子メールのテキストをひな形であるテンプレートとして保存する動作を説明する図であり、図６（Ｂ）は、保存したテンプレートを選択して挿入する動作を説明する図である。
第５実施例のブラウザアプリケーションソフトウェアは、第１実施例のブラウザアプリケーションソフトウェアの所定コマンド（第２所定コマンド）を別の機能にしたものであり、多くの要素について第１実施例のブラウザアプリケーションソフトウェアと共通するので、共通する事項については詳しい説明を省略する。
【００７２】
本実施例では、図６（Ａ）に示すように、コンピュータの表示部に表示されたメールブラウザ１００Ａのメール作成ウィンドウ１１０でテキストが入力されている。
そして、テキスト選択箇所１１６が示すように、ユーザーによってテキストデータおよび画像データの少なくとも一方としてテキストデータが選択されている。
このとき、ユーザーは、キーボードで所定コマンド（第１所定コマンド）「Ａｌｔ」＋「Ｓ」キーを入力し、続けて所定コマンド（第２所定コマンド）の一例として「Ａｌｔ」＋「Ｍ」、「Ａｌｔ」＋「Ｈ」キーを入力する。
なお、所定コマンド（第１所定コマンド）の入力から所定コマンド（第２所定コマンド）の「Ｈ」キーの入力まで、「Ａｌｔ」キーは連続して押したままである。
【００７３】
すると、コンピュータが、所定コマンド（第２所定コマンド）の所定動作として、電子メールのテンプレートの名前を入力自在なひな形保存ウィンドウであるテンプレート保存ウィンドウ１５０を開いて、テキストデータおよび画像データの少なくとも一方の選択された箇所であるテキスト選択箇所１１６を電子メールのテンプレートとして保存自在にする。
ユーザーは、テンプレート保存ウィンドウ１５０の入力欄１５１にテンプレート名の一例として「本社営業部向けあいさつ定型文」を入力し、保存ボタンを押す、またはエンターキーを押す。
これにより、コンピュータによって、テキスト選択箇所１１６が所定コマンド（第２所定コマンド）でひな形であるテンプレートとして保存される。
その結果、ユーザーはテキストデータを選択して所定コマンド（第１所定コマンドおよび第２所定コマンド）のショートカットキーの操作をして名前を付けてエンターキーを押すだけで、テキスト選択箇所１１６を、マウスを使用せずに素早く、かつ、簡単にテンプレートとして保存することができる。
【００７４】
なお、テキスト選択箇所１１６は、新規のメール作成ウィンドウ１１０で入力したテキストでもよいし、受信したメールのテキストでもよい。
また、一例として、テキストデータを選択したが、画像データを選択してもよいし、両者を同時に選択してもよい。
さらに、メールブラウザ１００Ａにおけるテキストを選択したが、他のブラウザ１００のインターネットページのテキストを選択して所定コマンド（第１所定コマンドおよび第２所定コマンド）を入力して、テンプレート保存ウィンドウ１５０を開いて、選択したテキストをテンプレートとして保存することができるのは勿論である。
また、テンプレート情報の保存場所は、ユーザーのコンピュータの記憶部でもよいし、他のコンピュータ、サーバやクラウド上でもよい。
また、本実施例では、所定コマンド（第１所定コマンドおよび第２所定コマンド）の入力により、テンプレート保存ウィンドウ１５０を開いたが、これを開かずに、選択したテキストデータの少なくとも一部や選択した画像データをテンプレートの名前としてテンプレート情報を保存するように構成してもよい。
【００７５】
続いて、保存したテンプレートを使用して電子メールを作成したい場合がある。
このとき、ユーザーは、メールブラウザ１００Ａを選択して新規のメール作成ウィンドウ１１０を開いて、メール作成ウィンドウ１１０の入力欄において、テンプレートを挿入したい箇所にカーソル１１２を合わせる。
なお、返信メールを作成する場合は、返信メールの入力欄において、テンプレートを挿入したい箇所にカーソル１１２を合わせる。
【００７６】
そして、キーボードで所定コマンド（第１所定コマンド）「Ａｌｔ」＋「Ｓ」キーを入力し、続けて所定コマンド（第２所定コマンド）の一例として「Ａｌｔ」＋「Ｍ」、「Ａｌｔ」＋「Ｏ」キーを入力する。
すると、図６（Ｂ）に示すように、コンピュータが、保存されたテンプレートを読み込み、テンプレートリスト表示ウィンドウ１６０を表示するとともに、テンプレート名を選択自在にする。
ユーザーは、色反転で示される選択箇所１６１を動かして所望のテンプレート名を選択し、ＯＫボタンを押す、またはエンターキーを押す。
例えば、「本社営業部向けあいさつ定型文」を選択してエンターキーを押したとする。
これにより、図６（Ａ）に示すテキスト選択箇所１１６のテキストと同じテキストが、テンプレートとして図６（Ｂ）に示す新規のメール作成ウィンドウ１１０の入力欄のカーソル１１２の位置に挿入される。
【００７７】
その結果、ユーザーは電子メールのテンプレートを挿入したい箇所にカーソル１１２を合わせて所定コマンド（第１所定コマンドおよび第２所定コマンド）のショートカットキーの操作をするだけで、電子メールのテンプレートのリストを、マウスを使用せずに素早く、かつ、簡単にテンプレートリスト表示ウィンドウ１６０で開くことができる。
さらに、所望の電子メールのテンプレートを選択してエンターキーを押すだけで、そのテンプレートを挿入することができる。
なお、メールブラウザ１００Ａのメール作成ウィンドウ１１０の入力欄にテンプレートを挿入したが、他のブラウザ１００のインターネットページの入力欄を選択して所定コマンド（第１所定コマンドおよび第２所定コマンド）を入力して、テンプレートリスト表示ウィンドウ１５０を開いて、選択したテンプレートを挿入することができるのは勿論である。
【００７８】
このようにして得られた本発明の第５実施例であるブラウザアプリケーションソフトウェアは、所定コマンド（第１所定コマンド）が入力される前にコンピュータの表示部に表示された電子メールブラウザであるメールブラウザ１００Ａの電子メールにおけるテキストデータおよび画像データの少なくとも一方が選択され、所定コマンド（第２所定コマンド）が、電子メールのひな形の名前を入力自在なひな形保存ウィンドウであるテンプレート保存ウィンドウ１６０を開いて、テキストデータおよび画像データの少なくとも一方の選択された箇所を電子メールのひな形として保存自在にするコマンドであることにより、ユーザーはテキストデータおよび画像データの少なくとも一方を選択して所定コマンド（第１所定コマンドおよび第２所定コマンド）のショートカットキーの操作をして名前を付けてエンターキーを押すだけで、選択した箇所を、マウスを使用せずに素早く、かつ、簡単にひな形として保存することができるなど、その効果は甚大である。
【実施例６】
【００７９】
続いて、本発明の第６実施例であるブラウザアプリケーションソフトウェアについて、図７（Ａ）および図７（Ｂ）に基づいて説明する。
ここで、図７（Ａ）は、メールブラウザ１００Ａを示す図であり、図７（Ｂ）は、本発明の第６実施例のブラウザアプリケーションソフトウェアでスケジュール管理ページである電子カレンダーページ１７０を開くとともに選択した電子メールを電子カレンダーページ１７０に入力（登録）する動作を説明する図である。
第６実施例のブラウザアプリケーションソフトウェアは、第１実施例のブラウザアプリケーションソフトウェアの所定コマンド（第２所定コマンド）を別の機能にしたものであり、多くの要素について第１実施例のブラウザアプリケーションソフトウェアと共通するので、共通する事項については詳しい説明を省略する。
【００８０】
本実施例では、図７（Ａ）に示すように、コンピュータの表示部に表示されたメールブラウザ１００Ａに、受信メールが表示されている。
そして、受信メールにおけるテキスト選択箇所１１７が示すように、ユーザーによってテキストデータが選択されている。
この内容を、ユーザーが、スケジュール管理ページである電子カレンダーページ１７０に登録して予定を作成することが考えられる。
このとき、ユーザーは、キーボードで所定コマンド（第１所定コマンド）「Ａｌｔ」＋「Ｓ」キーを入力し、続けて所定コマンド（第２所定コマンド）の一例として「Ａｌｔ」＋「Ｃ」、「Ａｌｔ」＋「Ｙ」キーを入力する。
なお、所定コマンド（第１所定コマンド）の入力から所定コマンド（第２所定コマンド）の「Ｙ」キーの入力まで、「Ａｌｔ」キーは連続して押したままである。
【００８１】
すると、コンピュータが、所定コマンド（第２所定コマンド）の所定動作として、ブラウザ１００の新しいタブ１００Ｔによって予め設定された電子カレンダーページ１７０を開くとともに、選択されたメール情報を電子カレンダーページ１７０に登録自在にする。
ここで、「登録自在」とは、登録する直前であって、ユーザーが登録するか否かを選択自在な段階（状態）のことをいう。
具体的に、電子カレンダーページ１７０は、タイトル欄１７１、日付情報欄１７２、時間情報欄１７３、場所欄１７４、ユーザー選択欄１７５、説明欄１７６、保存ボタン１７７を有している。
そして、選択された受信メールのタイトルが、電子カレンダーページ１７０のタイトル欄１７１に入力される。
ユーザー選択欄１７５には、ユーザーの名前が選択されて入力される。
また、説明欄１７６には、選択された受信メールの表示画面のＵＲＬへ転送する短縮ＵＲＬ情報１１４が入力される。
【００８２】
さらに、上述したように、所定コマンド（第１所定コマンド）の入力前に受信メールのテキストが選択されていた場合、テキスト選択箇所１１７のテキストデータが、説明欄１７６の短縮ＵＲＬ情報１１４の後に、入力される。
ユーザーは、その他の必要な箇所を入力して、保存ボタン１７７を押す、または「Ｔａｂ」キーで保存ボタン１７７を選択してエンターキーを押す。
これにより、選択したメールの内容が、電子カレンダーページ１７０に入力され、この電子カレンダーページ１７０がクラウド上またはサーバに保存・登録される。
その結果、ユーザーは電子メールを選択して所定コマンド（第１所定コマンドおよび第２所定コマンド）のショートカットキーの操作をするだけで、選択した電子メールの情報を、マウスを使用せずに素早く、かつ、簡単に電子カレンダーページ１７０に入力することができる。
【００８３】
なお、電子カレンダーページ１７０をブラウザ１００の新しいタブ１００Ｔによって開いたが、ブラウザ１００の新しいウィンドウによって開いてもよいのは勿論である。
電子カレンダーページ１７０には、リマインダー機能（図示せず）も付いていて、予定として設定した所定時間前にユーザーに対してポップアップウィンドウなどで予定がある旨を知らせるように構成されている。
【００８４】
このようにして得られた本発明の第６実施例であるブラウザアプリケーションソフトウェアは、所定コマンド（第１所定コマンド）が入力される前にコンピュータの表示部に表示された電子メールブラウザであるメールブラウザ１００Ａにおいて１つの電子メールが選択されて表示され、所定コマンド（第２所定コマンド）が、新しいブラウザ１００のタブ１００Ｔまたは新たなウィンドウで予め設定されたスケジュール管理ページである電子カレンダーページ１７０を開くとともに選択されたメール情報をスケジュール管理ページに登録自在にするコマンドであることにより、ユーザーは電子メールを選択して所定コマンド（第１所定コマンドおよび第２所定コマンド）のショートカットキーの操作をして保存ボタン１７７を押すだけで、選択した電子メールの情報を、素早く、かつ、簡単に電子カレンダーページ１７０に登録することができるなど、その効果は甚大である。
【実施例７】
【００８５】
続いて、本発明の第７実施例であるブラウザアプリケーションソフトウェアについて、図８（Ａ）および図８（Ｂ）に基づいて説明する。
ここで、図８（Ａ）は、本発明の第７実施例のブラウザアプリケーションソフトウェアで電子スタンプリストを開く動作を説明する図であり、図８（Ｂ）は、電子スタンプ１８２を電子メールに挿入する動作を説明する図である。
第７実施例のブラウザアプリケーションソフトウェアは、第１実施例のブラウザアプリケーションソフトウェアの所定コマンド（第２所定コマンド）を別の機能にしたものであり、多くの要素について第１実施例のブラウザアプリケーションソフトウェアと共通するので、共通する事項については詳しい説明を省略する。
【００８６】
本実施例では、図８（Ａ）に示すように、メールブラウザ１００Ａの新規のメール作成ウィンドウ１１０が開かれている。
このとき、ユーザーが、メール作成ウィンドウ１１０の入力欄において、電子スタンプ１８２を挿入したい箇所にカーソル１１２を合わせる。
そして、ユーザーは、キーボードで所定コマンド（第１所定コマンド）「Ａｌｔ」＋「Ｓ」キーを入力し、続けて所定コマンド（第２所定コマンド）の一例として「Ａｌｔ」＋「Ｑ」キーを入力する。
すると、コンピュータが、所定コマンド（第２所定コマンド）の所定動作として、予め設定された電子スタンプ情報を取得して電子スタンプリストを電子スタンプリスト表示ウィンドウ１８０で開くとともに電子スタンプ１８２を選択自在にする。
【００８７】
ユーザーは、選択箇所１８１を動かして所望の電子スタンプ１８２を選択し、エンターキーを押す。
これにより、図８（Ｂ）に示すように、選択した電子スタンプ１８２が、カーソル１１２があった位置に挿入される。
その結果、ユーザーは電子スタンプ１８２を挿入したい箇所にカーソル１１２を合わせて所定コマンド（第１所定コマンドおよび第２所定コマンド）のショートカットキーの操作をするだけで、電子スタンプリストを、マウスを使用せずに素早く、かつ、簡単に電子スタンプリスト表示ウィンドウ１８０で開くことができ、所望の電子スタンプ１８２を選択してエンターキーを押すだけで、電子スタンプ１８２を挿入することができる。
【００８８】
なお、新規のメール作成ウィンドウ１１０の入力欄に電子スタンプ１８２を挿入することについて説明したが、返信メールの入力欄でもよいのは勿論である。
さらに、電子スタンプ１８２のリストデータは、ユーザーのコンピュータの記憶部に保存してあるものでもよいし、他のコンピュータ、サーバやクラウド上に保存してあるものでもよい。
電子スタンプ１８２を電子メールに挿入した場合であっても、電子スタンプ１８２はＨＴＬＭの所謂、イメージタグで貼り付けられる（電子メールのデータとして記述される）構成であるため、電子メールのデータの容量は殆ど変わらない。
また、電子メールを作成するための入力欄に電子スタンプ１８２を挿入する動作について説明したが、ブラウザ１００を用いたチャットアプリケーションソフトを起動し、ブラウザ１００におけるチャット画面の入力欄に電子スタンプ１８２を挿入する場合もショートカットキーで実行することができる。
その詳しい説明は、電子メールの入力欄に電子スタンプ１８２を挿入する場合と同様であるので省略する。
【００８９】
このようにして得られた本発明の第７実施例であるブラウザアプリケーションソフトウェアは、所定コマンド（第１所定コマンド）が入力される前にコンピュータの表示部に表示されたブラウザ１００においてカーソル１１２が入力欄にあり、所定コマンド（第２所定コマンド）が、予め設定された電子スタンプ情報を取得して電子スタンプリストを電子スタンプリスト表示ウィンドウ１８０で開くとともに電子スタンプ１８２を選択自在にするコマンドであることにより、ユーザーは電子スタンプ１８２を挿入したい箇所にカーソル１１２を合わせて所定コマンド（第１所定コマンドおよび第２所定コマンド）のショートカットキーの操作をするだけで、電子スタンプリストを、マウスを使用せずに素早く、かつ、簡単に電子スタンプリスト表示ウィンドウ１８０で開くことができ、所望の電子スタンプ１８２を選択してエンターキーを押すだけで、電子スタンプ１８２を挿入することができるなど、その効果は甚大である。
【実施例８】
【００９０】
続いて、本発明の第８実施例であるブラウザアプリケーションソフトウェアについて、図９（Ａ）および図９（Ｂ）に基づいて説明する。
ここで、図９（Ａ）は、ブラウザ１００を示す図であり、図９（Ｂ）は、本発明の第８実施例のブラウザアプリケーションソフトウェアで日付時間情報１９０をブラウザ１００に表示する動作を説明する図である。
第８実施例のブラウザアプリケーションソフトウェアは、第１実施例のブラウザアプリケーションソフトウェアの所定コマンド（第２所定コマンド）を別の機能にしたものであり、多くの要素について第１実施例のブラウザアプリケーションソフトウェアと共通するので、共通する事項については詳しい説明を省略する。
【００９１】
本実施例では、図９（Ａ）に示すように、ブラウザ１００が開かれ、ブラウザ１００が選択されてアクティブになっている。
ユーザーは、コンピュータで作業をして、今現在の時刻を知りたいと思ったとする。
コンピュータの表示部であるディスプレイの隅に時刻が小さく表示されている場合があるが、小さくて見づらい。
このとき、ユーザーは、ユーザーは、キーボードで所定コマンド（第１所定コマンド）「Ａｌｔ」＋「Ｓ」キーを入力し、続けて所定コマンド（第２所定コマンド）の一例として「Ａｌｔ」＋「Ｃ」、「Ａｌｔ」＋「Ｎ」キーを入力する。
なお、所定コマンド（第１所定コマンド）の入力から所定コマンド（第２所定コマンド）の「Ｎ」キーの入力まで、「Ａｌｔ」キーは連続して押したままである。
【００９２】
すると、コンピュータが、所定コマンド（第２所定コマンド）の所定動作として、コンピュータの日付時計制御部へアクセスして現在の日付時間情報１９０を取得するとともに、図９（Ｂ）に示すように、コンピュータの表示部に表示されたブラウザ１００に現在の日付時間情報１９０を比較的大きく表示する。
その結果、ユーザーは所定コマンド（第１所定コマンドおよび第２所定コマンド）のショートカットキーの操作をするだけで、日付時間情報１９０を、マウスを使用せずに素早く、かつ、簡単に比較的大きい文字で表示させることができ、確実に現在の日付時間情報１９０を得ることができる。
【００９３】
このようにして得られた本発明の第８実施例であるブラウザアプリケーションソフトウェアは、所定コマンド（第２所定コマンド）が、コンピュータの日付時計制御部へアクセスして現在の日付時間情報１９０を取得するとともにコンピュータの表示部に表示されたブラウザ１００に表示するコマンドであることにより、ユーザーは所定コマンド（第１所定コマンドおよび第２所定コマンド）のショートカットキーの操作をするだけで、日付時間情報１９０を、マウスを使用せずに素早く、かつ、簡単に比較的大きい文字で表示させることができるなど、その効果は甚大である。
【実施例９】
【００９４】
続いて、本発明の第９実施例であるブラウザアプリケーションソフトウェアについて、図１０（Ａ）および図１０（Ｂ）に基づいて説明する。
ここで、図１０（Ａ）は、本発明の第９実施例のブラウザアプリケーションソフトウェアで日付情報１９１をコピーする動作を説明する図であり、図１０（Ｂ）は、コピーした日付情報１９１をペーストする動作を説明する図である。
第９実施例のブラウザアプリケーションソフトウェアは、第１実施例のブラウザアプリケーションソフトウェアの所定コマンド（第２所定コマンド）を別の機能にしたものであり、多くの要素について第１実施例のブラウザアプリケーションソフトウェアと共通するので、共通する事項については詳しい説明を省略する。
【００９５】
本実施例では、図１０（Ａ）に示すように、メールブラウザ１００Ａの新規のメール作成ウィンドウ１１０が開かれている。
このとき、ユーザーが、メール作成ウィンドウ１１０の入力欄において、日付情報１９１を挿入したい箇所にカーソル１１２を合わせる。
そして、ユーザーは、キーボードで所定コマンド（第１所定コマンド）「Ａｌｔ」＋「Ｓ」キーを入力し、続けて所定コマンド（第２所定コマンド）の一例として「Ａｌｔ」＋「Ｃ」、「Ａｌｔ」＋「Ｚ」キーを入力する。
なお、所定コマンド（第１所定コマンド）の入力から所定コマンド（第２所定コマンド）の「Ｚ」キーの入力まで、「Ａｌｔ」キーは連続して押したままである。
【００９６】
すると、コンピュータが、所定コマンド（第２所定コマンド）の所定動作として、コンピュータの日付時計制御部へアクセスして現在の日付情報１９１を取得するとともに、クリップボードにコピーする。
これにより、ユーザーが、メール作成ウィンドウ１１０をアクティブにした状態で、「Ｃｔｒｌ」＋「Ｖ」キーを入力すると、図１０（Ｂ）に示すように、先ほどコピーした日付情報１９１がメール作成ウィンドウ１１０のカーソル１１２の位置に挿入（ペースト）される。
その結果、ユーザーは所定コマンド（第１所定コマンドおよび第２所定コマンド）のショートカットキーの操作をするだけで、日付情報１９１を、マウスを使用せずに素早く、かつ、簡単にクリップボードにコピーすることができ、さらに、ショートカットキーで日付情報１９１を、所望の箇所にペーストすることができる。
【００９７】
なお、一例として、メール作成ウィンドウ１１０の入力欄にペーストして日付情報１９１を挿入したが、ブラウザ１００の入力欄や、ブラウザ１００以外の他のアプリケーションの入力欄にペーストして日付情報１９１を挿入することもできるのは勿論である。
また、新規のメール作成ウィンドウ１１０をアクティブにして説明したが、所定コマンド（第１所定コマンドおよび第２所定コマンド）を入力するときに、メールブラウザ１００Ａまたはブラウザ１００が選択されてアクティブになっていればよい。
【００９８】
また、現在の時間情報をクリップボードにコピーしたい場合がある。
このとき、ユーザーは、キーボードで所定コマンド（第１所定コマンド）「Ａｌｔ」＋「Ｓ」キーを入力し、続けて所定コマンド（第２所定コマンド）の一例として「Ａｌｔ」＋「Ｃ」、「Ａｌｔ」＋「Ｊ」キーを入力する。
すると、コンピュータが、所定コマンド（第２所定コマンド）の所定動作として、コンピュータの日付時計制御部へアクセスして現在の時間情報を取得するとともに、クリップボードにコピーする。
【００９９】
これにより、ユーザーは、メール作成ウィンドウ１１０をアクティブにした状態で、「Ｃｔｒｌ」＋「Ｖ」キーを入力すると、先ほどコピーした時間情報（時刻情報）がメール作成ウィンドウ１１０のカーソル１１２の位置に挿入（ペースト）される。
その結果、ユーザーは所定コマンド（第１所定コマンドおよび第２所定コマンド）のショートカットキーの操作をするだけで、時間情報を、マウスを使用せずに素早く、かつ、簡単にクリップボードにコピーすることができ、さらに、ショートカットキーで時間情報を、所望の箇所にペーストすることができる。
なお、日付情報１９１および時間情報の少なくとも一方をクリップボードにコピーする構成としたが、両方をコピーする構成としてもよいのは勿論である。
【０１００】
このようにして得られた本発明の第９実施例であるブラウザアプリケーションソフトウェアは、所定コマンド（第２所定コマンド）が、コンピュータの日付時計制御部へアクセスして日付情報１９１および時間情報の少なくとも一方をコピーするコマンドであることにより、ユーザーは所定コマンド（第１所定コマンドおよび第２所定コマンド）のショートカットキーの操作をするだけで、日付情報１９１および時間情報の少なくとも一方を、マウスを使用せずに素早く、かつ、簡単にクリップボードにコピーすることができるなど、その効果は甚大である。
【符号の説明】
【０１０１】
１００  ・・・  ブラウザ
１００Ａ・・・  メールブラウザ
１００Ｔ・・・  タブ
１１０  ・・・  メール作成ウィンドウ（メールブラウザ）
１１１  ・・・  テキスト選択箇所
１１２  ・・・  カーソル
１１３  ・・・  ＵＲＬ情報
１１４  ・・・  短縮ＵＲＬ情報
１１５  ・・・  テキスト選択箇所
１１６  ・・・  テキスト選択箇所
１１７  ・・・  テキスト選択箇所
１２０  ・・・  検索エンジンページ
１２１  ・・・  （検索エンジンページの）入力欄
１３０  ・・・  タブグループ保存ウィンドウ
１３１  ・・・  （タブグループ保存ウィンドウの）入力欄
１４０  ・・・  タブグループリスト表示ウィンドウ
１４１  ・・・  （タブグループリスト表示ウィンドウの）選択箇所
１５０  ・・・  テンプレート保存ウィンドウ
１５１  ・・・  （テンプレート保存ウィンドウの）入力欄
１６０  ・・・  テンプレートリスト表示ウィンドウ
１６１  ・・・  （テンプレートリスト表示ウィンドウの）選択箇所
１７０  ・・・  電子カレンダーページ（スケジュール管理ページ）
１７１  ・・・  タイトル欄
１７２  ・・・  日付情報欄
１７３  ・・・  時間情報欄
１７４  ・・・  場所欄
１７５  ・・・  ユーザー選択欄
１７６  ・・・  説明欄
１７７  ・・・  保存ボタン
１８０  ・・・  電子スタンプリスト表示ウィンドウ
１８１  ・・・  （電子スタンプリスト表示ウィンドウの）選択箇所
１８２  ・・・  電子スタンプ
１９０  ・・・  日付時間情報
１９１  ・・・  日付情報
【図１】
2019020884.tif 000003
【図２】
2019020884.tif 000004
【図３】
2019020884.tif 000005
【図４】
2019020884.tif 000006
【図５】
2019020884.tif 000007
【図６】
2019020884.tif 000008
【図７】
2019020884.tif 000009
【図８】
2019020884.tif 000010
【図９】
2019020884.tif 000011
【図１０】
2019020884.tif 000012